(57)【要約】【課題】溶接部が滑らかで、水が溜まることによるさびや腐食を防ぎ、さらに、溶接用具を使用して直接、溶接結合可能で、胴体部とエンドカバー結合部の重り部が少ないため素材が節約できる蓄圧器及びその胴体部とカバーの結合構造を提供する。【解決手段】  本考案は、エンドカバー（５）と胴体部（４）を含む蓄圧器の胴体部（４）とエンドカバー（５）を結合する構造において、前記胴体部（４）はその端部に開口部の開きが徐々に減少する構造（２）を有し、前記エンドカバー（５）はその１端の開口部が徐々に増大する構造（１）を有し、前記胴体部（４）と前記エンドカバー（５）は前記構造（１）、（２）を介してお互いに結合可能であり、前記胴体部（４）及び前記エンドカバー（５）は結合後溶接されることを特徴とする。【選択図】図２
0003124860.tif 000002
【実用新案登録請求の範囲】
【請求項１】
エンドカバー（５）と胴体部（４）を含む蓄圧器の胴体部（４）とエンドカバー（５）を結合する構造において、前記胴体部（４）はその端部に開口部の開きが徐々に減少する構造（２）を有し、前記エンドカバー（５）はその１端の開口部が徐々に増大する構造（１）を有し、前記胴体部（４）と前記エンドカバー（５）は前記構造（１）、（２）を介してお互いに結合可能であり、前記胴体部（４）及び前記エンドカバー（５）は結合後溶接されることを特徴とする蓄圧器の胴体部（４）とエンドカバー（５）の結合構造。
【請求項２】
前記胴体部（４）の徐々に開口部が減少する前記構造（２）の端部には溶接前に段差部（３）が形成され、前記段差部（３）は前記胴体部（４）と前記エンドカバー（５）の間の結合部に位置し、溶接棒が溶接時に前記段差部（３）で溶けて溶接されることを特徴とする請求項１に記載の蓄圧器の胴体部（４）とエンドカバー（５）の結合構造。
【請求項３】
前記開口部が増大する構造（１）は滑らかに徐々に増大する構造であり、前記開口部が減少する構造（２）は滑らかに徐々に減少する構造であることを特徴とする請求項１または２に記載の蓄圧器の胴体部（４）とエンドカバー（５）の結合構造。
【請求項４】
前記開口部が増大する構造（１）は斜めに開く形状であることを特徴とする請求項３に記載の蓄圧器の胴体部（４）とエンドカバー（５）の結合構造。
【請求項５】
前記胴体部（４）と前記エンドカバー（５）の間の結合部分は溶接棒を使用して溶接され、溶接時に、溶けた溶接棒が前記段差部（３）に弧状に自然に積み上がることを特徴とする請求項２に記載の蓄圧器の胴体部（４）とエンドカバー（５）の結合構造。
【請求項６】
前記胴体部（４）と前記エンドカバー（５）の間の結合部分は溶接棒を使用して溶接され、溶接時に、溶けた溶接棒が前記段差部（３）に弧状に自然に積み上がることを特徴とする請求項４に記載の蓄圧器の胴体部（４）とエンドカバー（５）の結合構造。
【請求項７】
前記胴体部（４）はその端部に開口部の開きが減少する構造（２）を有し、前記エンドカバー（５）はその１端の開口部が徐々に増大する構造（１）を有し、前記胴体部（４）と前記エンドカバー（５）は前記構造を介して結合可能であり、前記胴体部（４）及び前記エンドカバー（５）は結合後溶接棒を使用して溶接されることを特徴とするエンドカバー（５）と胴体部（４）を含む蓄圧器。
【考案の詳細な説明】
【技術分野】
【０００１】
本考案は蓄圧器の胴体部とエンドカバーを結合する構造、詳しくは、空調機器のコンプレッサーに使用される蓄圧器の蓄圧器胴体部とエンドカバーの結合構造およびその構造を利用した蓄圧器に関する。
【背景技術】
【０００２】
現在、空調機器用コンプレッサーの蓄圧装置は通常胴体部４とエンドカバー５を備え、胴体部４は両端部が開いていて、エンドカバー５とソケット嵌合により結合する（図１及び図２参照）。すなわち、胴体部の直径はエンドカバーと異なっており、胴体部をエンドカバー内に直接、平行に挿入した後、胴体部とエンドカバーを結合部で溶接する。その結果、胴体部とエンドカバーが封止され、一体化して一個の装置として形成される。
【０００３】
ソケット嵌合結合法によると、嵌合部分、すなわち胴体部とエンドカバーの端部の重なる部分が比較的に長く、そのため素材の無駄が生じる。さらに、ソケット嵌合結合には特別の設備が必要となる。胴体部とエンドカバーを結合するためのソケット嵌合に採用されている方法では、結合部分に段状の溶接跡が残り、蓄圧装置の外観に影響する。結果として、水がたまりやすくなり、結合部分にさびや腐食が発生する。
【特許文献１】特開２００２−０２９５９１号公報
【考案の開示】
【考案が解決しようとする課題】
【０００４】
本考案の目的は、従来の蓄圧器胴体部とエンドカバー結合構造における前記課題を解決し、ソケット嵌合を用いない結合構造を提供するもので、外観に溶接跡が残らず、水が溜まることにより発生するさびや腐食を防ぎ、さらに、溶接用具を使用して直接、溶接結合可能で、胴体部とエンドカバー結合部の重り部が少ないため素材が節約できる蓄圧器及びその胴体部とカバーの結合構造を提供することである。
【課題を解決するための手段】
【０００５】
本考案は、エンドカバー（５）と胴体部（４）を含む蓄圧器の胴体部（４）とエンドカバー（５）を結合する構造において、前記胴体部（４）はその端部に開口部の開きが徐々に減少する構造（２）を有し、前記エンドカバー（５）はその１端の開口部が徐々に増大する構造（１）を有し、前記胴体部（４）と前記エンドカバー（５）は前記構造（１）、（２）を介してお互いに結合可能であり、前記胴体部（４）及び前記エンドカバー（５）は結合後溶接されることを特徴とする。
【０００６】
前記胴体部（４）の徐々に開口部が減少する前記構造（２）の端部には溶接前に段差部（３）が形成され、前記段差部（３）は前記胴体部（４）と前記エンドカバー（５）の間の結合部に位置し、溶接棒が溶接時に前記段差部（３）で溶けて溶接されることを特徴とする。
【０００７】
前記開口部が増大する構造（１）は滑らかに徐々に増大する構造であり、前記開口部が減少する構造（２）は滑らかに徐々に減少する構造であり、前記開口部が増大する構造（１）は斜めに開く形状であることを特徴とする。
【０００８】
前記胴体部（４）と前記エンドカバー（５）の間の結合部分は溶接棒を使用して溶接され、溶接時に、溶けた溶接棒が前記段差部（３）に弧状に自然に積み上がることを特徴とする。
【０００９】
前記胴体部（４）はその端部に開口部の開きが減少する構造（２）を有し、前記エンドカバー（５）はその１端の開口部が徐々に増大する構造（１）を有し、前記胴体部（４）と前記エンドカバー（５）は前記構造を介して結合可能であり、前記胴体部（４）及び前記エンドカバー（５）は結合後溶接棒を使用して溶接されることを特徴とする。
【考案の効果】
【００１０】
本考案による蓄圧器胴体部とエンドカバーの結合構造およびその構造を利用した蓄圧器は、エンドカバーの端部開口部が徐々に増大する構造１と、胴体部の端部開口部が減少する構造２を嵌合し、溶接棒を使用して溶接される。エンドカバー開口部は徐々に開きが増大するが、胴体部開口部の開きは徐々に減少し、胴体部開口部とエンドカバー開口部は平行して２−６ｍｍ重なり合うので、溶接スラグが蓄圧器内に落ちにくく、製品の品質管理が容易になる。また、胴体部とエンドカバーは、特別な機器を使用せず、溶接による固定により直接、溶接で結合可能となる。さらに従来法と比べ、重なり部分が減少するので、素材を節約できる。
【考案を実施するための最良の形態】
【００１１】
以下、図２及び図３により本考案をさらに詳しく説明する。
【実施例】
【００１２】
本実施例では、鉄製の蓄圧器胴体部４は蓄圧器の主要部を成し、エンドカバー５により胴体部４の両端を閉じられる。胴体部４の両端に装着されるエンドカバー５はその１端の開口部が徐々に増大する構造１を有し、ほぼ１００度から１３５度、好ましくは１２０度の開口角度で斜めに開いている。胴体部４はその両端で徐々に開口部が減少する構造２を有し、その開口角度は同様、ほぼ１００度から１３５度、好ましくは１２０度である。図３に示すように、徐々に開口部が減少する構造２の先端部は環状段差３と嵌合する。
【００１３】
胴体部４の両端の徐々に開口部が減少する構造２はエンドカバー５の１端の斜めに徐々に開口部が増大する構造１と実質的に平行であるため、組み立て時に、徐々に開口部が増大する構造１と徐々に開口部が減少する構造２を嵌合させるのは従来技術に比べ容易である。その結果、胴体部４とエンドカバー５は溶接器により直接、溶接結合される。
【００１４】
徐々に開口部が増大する構造１と徐々に開口部が減少する構造２は、組み立て後、その間に環状段差３を形成し、環状段差３の部分が溶接される。そこで溶けた肉盛部６は自然に積み上がって滑らかな弧状の肉盛部を形成するため、蓄圧器の溶接強度と外観が効果的に改善される。また、この部分に水が溜まることを防止でき、蓄圧器の外面にさびや腐食の生じる可能性が減少する。図２の拡大図Ｉの場合、開口部が減少する構造２の金属材質の一部は溶けて溶接棒の材質と一体となり、図２の拡大図ＩＩの場合には、開口部が減少する構造２の金属材質は溶けないで、表面のみで溶接される。
【００１５】
本実施例は、胴体部４の開口部が減少する構造のため、エンドカバー５と嵌合後、胴体部とエンドカバーの結合部に、段差が形成されるが、この段差部が弧状に肉盛り溶接されるので、結合部の外面はより滑らかになる。
開口部が減少する構造の胴体部４と開口部が増大する構造のエンドカバー５は平行状態で特別の機材を用いずに溶接によって封止される。
【００１６】
また、エンドカバーの開口部が増加する構造１はその増加する開口部の構造の輪郭が斜めに外に開く形態で特徴づけられる。また胴体部とエンドカバーは平行に重なり合って嵌合封止されるため溶接時に胴体部内中空部に異物が落ちることはない。
エンドカバーと胴体部の間の段差部を溶接すると、弧状の表面を有する肉盛り部が形成されるため胴体部とエンドカバーが滑らかに結合され、蓄圧器の外観を効果的に改善し、溶接部に水が溜まって、さびたり腐食したりすることはない。
【図面の簡単な説明】
【００１７】
【図１】従来技術の結合構造の概略図及び部分拡大図を示す。
【図２】本考案の蓄圧器の胴体部とエンドカバーの結合構造の概略図及び部分拡大図を示す。
【図３】図２における溶接前の蓄圧器の胴体部及びエンドカバーの結合構造の概略図及び部分拡大図を示す。
【符号の説明】
【００１８】
１  開口部が徐々に増大する構造
２  開口部の開きが徐々に減少する構造
３  環状段差
４  胴体部
５  エンドカバー
６  肉盛部
【図１】
0003124860.tif 000003
【図２】
0003124860.tif 000004
【図３】
0003124860.tif 000005